(57)【特許請求の範囲】
【請求項１】
番組データと、番組に関する情報を含む構成データと、を含む放送波を受信する受信部と、
前記受信部によって受信した前記構成データに含まれる映像の解像度を示す情報に基づいて、前記番組データに含まれる映像データの解像度が表示部で表示可能な解像度であるか否かを判別する比較部と、
前記比較部によって前記映像データの解像度が前記表示部で表示できないと判別された場合に、主音声とは異なる副音声があるか否かを判別し、前記副音声がある場合に、前記放送波から音声のみをデコードし、デコードした前記音声のうち前記副音声を出力する音声切替部と、
前記比較部によって前記映像データの解像度が前記表示部で表示できないと判別された場合に、前記映像データを受信し前記副音声を出力していることを示す情報を報知する報知部と、
を備える受信装置。
【請求項２】
前記副音声は、
解説放送の音声または視覚障害者用音声解説である請求項１に記載の受信装置。
【請求項３】
前記副音声は、
利用者が操作部を操作して選択した音声である請求項１に記載の受信装置。
【請求項４】
前記表示部で表示可能な解像度は、横の解像度が４０９６または３８４０ピクセルであり、
前記音声切替部は、
前記映像データの横の解像度が７６８０であり、前記副音声がある場合に前記副音声に切り替え、
前記報知部は、
前記映像データの横の解像度が７６８０であり、前記副音声がある場合に前記映像データを受信していることを示す情報を報知する請求項１から請求項３のいずれか１項に記載の受信装置。
【請求項５】
受信部が、番組データと、番組に関する情報を含む構成データと、を含む放送波を受信する受信手順と、
比較部が、前記受信手順によって受信された前記構成データに含まれる映像の解像度を示す情報に基づいて、前記番組データに含まれる映像データの解像度が表示部で表示可能な解像度であるか否かを判別する比較手順と、
音声切替部が、前記比較手順によって前記映像データの解像度が前記表示部で表示できないと判別された場合に、主音声とは異なる副音声があるか否かを判別する判別手順と、
デコード部が、前記判別手順によって前記副音声があると判別された場合に、前記放送波から音声のみをデコードするデコード手順と、
音声切替部が、前記デコード手順によって復調された前記音声のうち前記副音声を出力する音声切替手順と、
報知部が、前記比較手順によって前記映像データの解像度が前記表示部で表示できないと判別された場合に、前記映像データを受信し前記副音声を出力していることを示す情報を報知する報知手順と、
を含む受信方法。
【請求項６】
受信装置のコンピュータに、
番組データと、番組に関する情報を含む構成データと、を含む放送波を受信する受信手順と、
前記受信手順によって受信された前記構成データに含まれる映像の解像度を示す情報に基づいて、前記番組データに含まれる映像データの解像度が表示部で表示可能な解像度であるか否かを判別する比較手順と、
前記比較手順によって前記映像データの解像度が前記表示部で表示できないと判別された場合に、主音声とは異なる副音声があるか否かを判別する判別手順と、
前記判別手順によって前記副音声があると判別された場合に、前記放送波から音声のみをデコードするデコード手順と、
前記デコード手順によってデコードされた前記音声のうち前記副音声を出力する音声切替手順と、
前記比較手順によって前記映像データの解像度が前記表示部で表示できないと判別された場合に、前記映像データを受信し前記副音声を出力していることを示す情報を報知する報知手順と、
を実行させるプログラム。
【発明の詳細な説明】
【技術分野】
【０００１】
本発明は、受信装置、受信方法、及びプログラムに関する。
【背景技術】
【０００２】
次世代テレビジョン放送サービスとして、４Ｋ（３８４０×２１６０または４０６０×２１６０）超高解像度テレビジョン放送（ＵＨＤＴＶ：Ｕｌｔｒａ  Ｈｉｇｈ  Ｄｅｆｉｎｉｔｉｏｎ  Ｔｅｌｅｖｉｓｉｏｎ、以下、４Ｋ放送という）の試験放送が開始されている。さらに、８Ｋ（７６８０×４３２０）超高解像度テレビジョン放送（以下、８Ｋ放送という）に関する研究開発が進められている。
２０１４年９月９に総務省が発表したロードマップ（非特許文献１参照）では、日本において２０１５年に４Ｋ超高解像度テレビジョン放送（ＵＨＤＴＶ：Ｕｌｔｒａ  Ｈｉｇｈ  Ｄｅｆｉｎｉｔｉｏｎ  Ｔｅｌｅｖｉｓｉｏｎ）の実用放送開始し、２０１８年に８Ｋ超高解像度テレビジョン放送の実用放送開始としている。また、このロードマップでは、４Ｋ、８Ｋ放送は、衛星による放送、ケーブルテレビ放送網による放送、ＩＰＴＶ等による配信が予定されている。また、このロードマップによれば、２０１６年から８Ｋ放送の実験放送を開始し、衛星による放送は、４Ｋ放送と８Ｋ放送とを時分割で放送することが提案されている。
【０００３】
４Ｋ・８Ｋ放送に対応した表示装置の普及には時間がかかる。このため、８Ｋ放送の実験放送が始まっても、４Ｋ放送のみに対応したテレビの方が８Ｋ放送に対応したテレビより低価格で販売されることが考えられる。この結果、８Ｋ放送の実験放送が始まっても、４Ｋ放送のみに対応したテレビを購入する視聴者が少なくないことが考えられる。
【先行技術文献】
【非特許文献】
【０００４】
【非特許文献１】「４Ｋ・８Ｋロードマップに関するフォローアップ会合  中間報告  概要」、平成２６年９月９日、［ｏｎｌｉｎｅ］、総務省、［平成２７年３月３日検索］、インターネット、＜URL: http://www.soumu.go.jp/main_content/000312825.pdf＞
【発明の概要】
【発明が解決しようとする課題】
【０００５】
しかしながら、４Ｋ放送のみに対応したテレビでは、８Ｋ放送を表示できないため、画面には何も表示されず、音声も無音となり、受信機の不具合であると視聴者に誤解される恐れがある。
【０００６】
本発明は上記の点に鑑みてなされたものであり、受信装置が対応している解像度より高い解像度の放送を受信した場合であっても、視聴者に受信装置が受信している状況を報知することができる受信装置、受信方法、及びプログラムを提供することを目的とする。
【課題を解決するための手段】
【０００７】
（１）本発明は上記の課題を解決するためになされたものであり、本発明の一態様の受信装置は、番組データと、番組に関する情報を含む構成データと、を含む放送波を受信する受信部と、前記受信部によって受信した前記構成データに含まれる映像の解像度を示す情報に基づいて、前記番組データに含まれる映像データの解像度が表示部で表示可能な解像度であるか否かを判別する比較部と、前記比較部によって前記映像データの解像度が前記表示部で表示できないと判別された場合に、主音声とは異なる副音声があるか否かを判別し、前記副音声がある場合に、前記放送波から音声のみをデコードし、デコードした前記音声のうち前記副音声を出力する音声切替部と、前記比較部によって前記映像データの解像度が前記表示部で表示できないと判別された場合に、前記映像データを受信し前記副音声を出力していることを示す情報を報知する報知部と、を備える。
【０００８】
（２）また、本発明の一態様の受信方法は、受信部が、番組データと、番組に関する情報を含む構成データと、を含む放送波を受信する受信手順と、比較部が、前記受信手順によって受信された前記構成データに含まれる映像の解像度を示す情報に基づいて、前記番組データに含まれる映像データの解像度が表示部で表示可能な解像度であるか否かを判別する比較手順と、音声切替部が、前記比較手順によって前記映像データの解像度が前記表示部で表示できないと判別された場合に、主音声とは異なる副音声があるか否かを判別する判別手順と、デコード部が、前記判別手順によって前記副音声があると判別された場合に、前記放送波から音声のみをデコードするデコード手順と、音声切替部が、前記デコード手順によって復調された前記音声のうち前記副音声を出力する音声切替手順と、報知部が、前記比較手順によって前記映像データの解像度が前記表示部で表示できないと判別された場合に、前記映像データを受信し前記副音声を出力していることを示す情報を報知する報知手順と、を含む。
【０００９】
（３）また、本発明の一態様のプログラムは、受信装置のコンピュータに、番組データと、番組に関する情報を含む構成データと、を含む放送波を受信する受信手順と、前記受信手順によって受信された前記構成データに含まれる映像の解像度を示す情報に基づいて、前記番組データに含まれる映像データの解像度が表示部で表示可能な解像度であるか否かを判別する比較手順と、前記比較手順によって前記映像データの解像度が前記表示部で表示できないと判別された場合に、主音声とは異なる副音声があるか否かを判別する判別手順と、前記判別手順によって前記副音声があると判別された場合に、前記放送波から音声のみをデコードするデコード手順と、前記デコード手順によってデコードされた前記音声のうち前記副音声を出力する音声切替手順と、前記比較手順によって前記映像データの解像度が前記表示部で表示できないと判別された場合に、前記映像データを受信し前記副音声を出力していることを示す情報を報知する報知手順と、を実行させる。
【発明の効果】
【００１０】
本発明によれば、受信装置が対応している解像度より高い解像度の放送を受信した場合であっても、視聴者に受信装置が受信している状況を報知することができる。
【図面の簡単な説明】
【００１１】
【図１】実施形態に係るデジタル放送システムの構成を示すブロック図である。
【図２】実施形態に係る送信装置の構成を示すブロック図である。
【図３】実施形態に係る放送システムに用いるプロトコルスタックの構造の例について説明する図である。
【図４】実施形態に係るＭＰＴのデータ構造を示す概略図である。
【図５】実施形態に係る映像コンポーネント記述子の例を示す図である。
【図６】実施形態に係る映像信号解像度に記述される情報の例を示す図である。
【図７】実施形態に係るＭＨ−音声コンポーネント記述子の例を示す図である。
【図８】実施形態に係るコンポーネント種別に記述される情報の例を示す図である。
【図９】実施形態に係る受信装置の構成を示すブロック図である。
【図１０】実施形態に係る８Ｋ放送受信時のコーションメッセージの表示の例を示す図である。
【図１１】実施形態に係る表示処理と報知処理の手順を示すフローチャートである。
【発明を実施するための形態】
【００１２】
本実施形態について、図面を参照しながら説明する。なお、以下の説明においては、本発明のデジタル放送の映像再生装置を、単に「受信装置」という。また、受信装置は、表示部を備えている。
【００１３】
図１は、本実施形態に係るデジタル放送システム１の構成を示すブロック図である。図１に示すように、デジタル放送システム１は、受信装置１０、送信装置２０、及び放送衛星４１を含んで構成される。送信装置２０は、放送事業者が有する放送設備を構成する。なお、デジタル放送システム１において、受信装置１０と、送信装置２０との台数は、一般的にそれぞれ複数であるが、以下の説明においては、説明を容易にするため、受信装置１０と、送信装置２０との台数が、それぞれ１台であるデジタル放送システム１の場合について説明する。
【００１４】
また、以下の説明では、デジタル放送システム１におけるデジタル放送のメディアトランスポート方式として、例えばＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ（一般社団法人  電波産業会））  ＳＴＤ−６０規格に記載のＭＭＴ（ＭＰＥＧ  Ｍｅｄｉａ  Ｔｒａｎｓｐｏｒｔ）方式が採用されている場合について説明する。また、本実施形態では、送信される放送波が、番組に応じて４Ｋ放送のみであるか８Ｋ放送のみである場合を例に説明する。
【００１５】
送信装置２０は、例えば、放送局などの放送事業者に備えられた送信装置である。送信装置２０は、番組データｉ１を放送衛星４１に送信する。番組データは、少なくとも映像データおよび音声データの一方のデータが含まれる番組のコンテンツデータである。なお、以下の説明においては、番組データが、映像データおよび音声データの両方のデータを含む映像コンテンツであるものとして説明する。なお、番組データに含まれる映像データと音声データとのそれぞれは、予め定めた符号化方式で符号化されたデータである。例えば、映像データは、Ｈ．２６５、いわゆる、ＨＥＶＣ（Ｈｉｇｈ  Ｅｆｆｉｃｉｅｎｃｙ  Ｖｉｄｅｏ  Ｃｏｄｉｎｇ）などの符号化方式で符号化されたデータである。また、例えば、音声データは、ＩＳＯ／ＩＥＣ  １４４９６  Ｐａｒｔ３、いわゆる、ＭＰＥＧ−４オーディオなどの符号化方式で符号化されたデータである。
【００１６】
放送衛星４１は、送信装置２０から送信された番組データｉ１を受信し、受信した番組データｉ１を変調する。放送衛星４１は、変調した番組データの電波を地上に向けて送信する。なお、放送衛星４１は、人工衛星による放送衛星（ＢＳ）、及び通信衛星（ＣＳ）のうち、少なくとも１つの衛星である。送信装置２０から送信された放送波は、地上波、ケーブルのような有線伝送路、または放送衛星を介して受信装置１０に伝送される。図１に示す例では、放送波が放送衛星４１を介して伝送される場合を示している。
【００１７】
受信装置１０は、放送衛星４１を介して放送された番組データを受信する。以下の説明では、受信装置１０が、４Ｋ放送を表示でき８Ｋ放送を表示できないテレビジョン受像機（テレビ、ＴＶ）であるものとして説明する。つまり、受信装置１０は、送信装置２０から送信された放送波を受信し、受信した放送波に含まれる映像コンテンツである番組データの解像度が、受信装置１０の解像度より高い場合、音声信号のみをデコードし、放送を受信しているが音声のみを出力していることを示す情報を表示部１１２（図９参照）に表示する。なお、受信装置１０の構成については、後述する。
【００１８】
＜送信装置２０の構成＞
次に、本実施形態に係る送信装置２０の構成について説明する。
図２は、本実施形態に係る送信装置２０の構成を示すブロック図である。図２に示すように、送信装置２０は、番組データ生成部２０１、構成情報生成部２０２、多重化部２０３、暗号化部２０４、及び送信部２０５を含んで構成される。
【００１９】
番組データ生成部２０１は、放送番組を構成する映像を示す映像データと、放送番組を構成する音声を示す音声データを取得する。
番組データ生成部２０１は、取得した映像データを所定の映像符号化方式で符号化する。所定の映像符号化方式は、例えば、ＩＳＯ／ＩＥＣ  ２３００８  ＨＥＶＣ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ／Ｉｎｔｅｒｎａｔｉｏｎａｌ  Ｅｌｅｃｔｒｏｎｉｃａｌ  Ｃｏｍｍｉｓｓｉｏｎ  ２３００８  Ｐａｒｔ２  Ｈｉｇｈ  Ｅｆｆｉｃｉｅｎｃｙ  Ｖｉｄｅｏ  Ｃｏｄｉｎｇ、単に、ＨＥＶＣとも呼ばれる）で規格化された方式である。
また、番組データ生成部２０１は、取得した音声データを所定の映像符号化方式で符号化する。所定の音声符号化方式は、例えば、ＩＳＯ／ＩＥＣ  １４４９６  Ｐａｒｔ３（単に、ＭＰＥＧ−４オーディオとも呼ばれる。なお、ＭＰＥＧはＭｏｖｉｎｇ  Ｐｉｃｔｕｒｅ  Ｅｘｐｅｒｔｓ  Ｇｒｏｕｐを略したものである。）で規定された音声符号化方式である。
【００２０】
番組データ生成部２０１は、符号化した映像データと音声データとＭＭＴ−ＳＩ（ＭＭＴ−Ｓｙｓｔｅｍ  Ｉｎｆｏｒｍａｔｉｏｎ）から所定の形式の番組データを生成し、生成した番組データを多重化部２０３に出力する。また、ＭＭＴ−ＳＩには、後述する放送事業者が設定するメッセージとテーブルと記述子とを含む。なお、ＭＭＴ−ＳＩについては後述する。所定の形式の番組データは、例えば、ＩＳＯ／ＩＥＣ  ２３００８  Ｐａｒｔ１  ＭＭＴ（ＭＰＥＧ  Ｍｅｄｉａ  Ｔｒａｎｓｐｏｒｔ、単にＭＭＴとも呼ばれる）で規定されたＭＰＵ（Ｍｅｄｉａ  Ｐｒｏｃｅｓｓｉｎｇ  Ｕｎｉｔ）である。各ＭＰＵには、映像や音声の復号処理を行うことができる単位の映像データ、音声データ、及びＭＭＴ−ＳＩが含まれる。
【００２１】
構成情報生成部２０２は、放送番組や放送に伴って提供されるサービスを構成するための情報である構成要素情報を取得する。構成要素情報は、放送番組やサービスの構成要素であるアセット、つまり、映像、音声等のリストや、それらの諸要件を示す情報を含む。
例えば、上記の構成要素情報には、階層伝送方式による放送をする場合等、複数の放送映像を同時に送信する場合においては、各映像の解像度に関する情報や、各映像が表示される優先度に関する情報等も構成要素情報に含まれる。
構成情報生成部２０２は、取得した構成要素情報から所定の形式の構成情報を生成し、生成した構成情報を多重化部２０３に出力する。所定の形式の構成データは、例えば、ＭＭＴ−ＳＩ（ＭＭＴ−Ｓｙｓｔｅｍ  Ｉｎｆｏｒｍａｔｉｏｎ）を構成するＭＰＴ（ＭＭＴ  Ｐａｃｋａｇｅ  Ｔａｂｌｅ）である。ＭＰＴの例については後述する。
【００２２】
多重化部２０３は、番組データ生成部２０１が出力した番組データ、及び構成情報生成部２０２が出力した構成情報を多重化して、所定の形式（例えば、ＴＬＶ（Ｔｙｐｅ  Ｌｅｎｇｔｈ  Ｖａｌｕｅ）パケット）の多重化データを生成する。多重化部２０３は、生成した多重化データを暗号化部２０４に出力する。
【００２３】
暗号化部２０４は、多重化部２０３が出力した多重化データを所定の暗号化方式（例えば、ＡＥＳ（Ａｄｖａｎｃｅｄ  Ｅｎｃｒｙｐｔｉｏｎ  Ｓｔａｎｄａｒｄ）やＭＵＬＴＩ２）を用いて暗号化する。暗号化部２０４は、暗号化した多重化データを送信部２０５に出力する。なお、送信部２０５に出力される多重化データには、映像データ、主音声データ、視覚障害者用音声解説（以下、解説音声ともいう）、構造情報が含まれている。
【００２４】
送信部２０５は、暗号化部２０４が出力した多重化データを受信装置１０に放送伝送路である放送衛星４１を介して送信する。ここで、送信部２０５は、ベースバンド信号である多重化データで所定の搬送周波数を有する搬送波を変調させて、搬送周波数に対応したチャネル帯域の電波（放送波）をアンテナ（図示せず）により放射する。
【００２５】
＜ＭＭＴを用いるシステムのプロトコルスタックの構造＞
次に、ＭＭＴを用いるシステムのプロトコルスタックの構造の例について説明する。
図３は、本実施形態に係る放送システムに用いるプロトコルスタックの構造の例について説明する図である。図３に示すように、放送システムに用いるプロトコルスタックは、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）、時刻情報、符号化された映像データ、符号化された音声データ、符号化された字幕データ、ＭＭＴ−ＳＩ、ＨＴＭＬ５規格で記述されたアプリケーション（単にアプリともいう）、ＥＰＧ（電子番組ガイド）、コンテンツダウンロードデータ等を含んで構成される。放送番組の映像信号及び音声信号の符号はＭＦＵ（Ｍｅｄｉａ  Ｆｒａｇｍｅｎｔ  Ｕｎｉｔ）／ＭＰＵである。そして、ＭＦＵ／ＭＰＵは、ＭＭＴＰペイロードに乗せて送信装置２０によってＭＭＴＰパケット化され、ＩＰパケットで送信装置２０によって伝送される。データコンテンツの伝送は、データが送信装置２０によってＭＭＴＰパケット化され、ＩＰパケットで送信装置２０によって伝送される。このように構成されたＩＰパケットは、放送伝送路を用いて放送される場合、ＴＬＶパケットの形式で送信装置２０によって伝送される。一つのＩＰパケットあるいは一つのヘッダー圧縮したＩＰパケットは、一つのＴＬＶパケットで送信装置２０によって伝送する（ＡＲＩＢ  ＳＴＤ−Ｂ３２及びＳＴＤ−Ｂ６０参照）。
【００２６】
さらに、放送システムに用いるプロトコルスタックでは、ＭＭＴ−ＳＩ、ＴＬＶ−ＳＩの２種類の制御情報が設けられている。ＭＭＴ−ＳＩとは、放送番組の構成などを示す制御情報である。ＭＭＴ−ＳＩでは、ＭＭＴの制御メッセージの形式とし、送信装置２０によってＭＭＴＰペイロードに乗せられてＭＭＴＰパケット化され、送信装置２０によってＩＰパケットで伝送される。ＴＬＶ−ＳＩとは、ＩＰパケットの多重に関する制御情報であり、選局のための情報やＩＰアドレスとサービスの対応情報を提供する。
【００２７】
また、ＴＭＣＣとは、伝送路上の信号の単位（スロット）ごとに変調方式やエラー訂正方式を指定する階層変調方式において、伝送フレームに挿入して伝送するこれらの制御情報である。ＨＥＶＣ（Ｈｉｇｈ  Ｅｆｆｉｃｉｅｎｃｙ  Ｖｉｄｅｏ  Ｃｏｄｉｎｇ）とは、映像信号の符号化の手法である。ＡＡＣ（Ａｄｖａｎｃｅｄ  Ａｕｄｉｏ  Ｃｏｄｉｎｇ）及びＡＬＳ（Ａｕｄｉｏ  Ｌｏｓｓｌｅｓｓ  Ｃｏｄｉｎｇ）とは、音声信号の符号化の手法である。ＵＤＰ／ＩＰ（Ｕｓｅｒ  Ｄａｔａｇｒａｍ  Ｐｒｏｔｏｃｏｌ／Ｉｎｔｅｒｎｅｔ  Ｐｒｏｔｏｃｏｌ）とは、通信に使われるプロトコルの１つである。ＴＬＶ（ＴＹＰＥ  ＬＥＮＧＴＨ  ＶＡＬＵＥ）とは、データの多重化手法の１つである。ＴＬＶは、データの符号化をデータタイプ（Ｔｙｐｅ）、長さ（Ｌｅｎｇｔｈ）、値（Ｖａｌｕｅ）の３つで構成される。
【００２８】
＜番組情報、ＭＭＴ−ＳＩ＞
次に、番組情報の例について説明する。
番組情報とは、具体的には、ＭＭＴ−ＳＩ（伝送制御信号）である。ＭＭＴ−ＳＩには、メッセージ、テーブル、記述子が含まれている。
まずＭＭＴ−ＳＩのメッセージについて説明する。
メッセージには、Ｐａｃｋａｇｅ  Ａｃｃｅｓｓ（ＰＡ）メッセージ、Ｍ２セクションメッセージ、ＣＡメッセージ、Ｍ２短セクションメッセージ、データ伝送メッセージ、及び事業者が設定するメッセージが含まれる。
【００２９】
ＰＡメッセージは、ＭＭＴ−ＳＩのエントリーポイントとなり、ＭＭＴ−ＳＩのテーブルを伝送する制御情報である。
Ｍ２セクションメッセージは、ＭＰＥＧ−２  Ｓｙｓｔｅｍｓのセクション拡張形式を伝送する制御情報である。
ＣＡメッセージは、限定受信方式に関する情報を伝送する制御情報である。なお、限定受信によって受信される放送とは、放送事業者と視聴者とが視聴契約を結ばないと受信装置１０で視聴できない放送である。
【００３０】
Ｍ２短セクションメッセージは、ＭＰＥＧ−２  Ｓｙｓｔｅｍｓのセクション短形式を伝送する制御情報である。
データ伝送メッセージは、データ伝送に関するテーブルを伝送する制御情報である。
事業者が設定するメッセージは、放送事業者が設定する制御情報である。
【００３１】
次に、ＭＭＴ−ＳＩのテーブルのうち、本実施形態で使用するテーブルについて説明する。なお、デジタル放送システム１は、ＭＭＴ方式に係る全てのテーブルを扱うことができる。テーブルは、ＭＰＴ（ＭＭＴパッケージテーブル、ＭＭＴ  Ｐａｃｋａｇｅ  Ｔａｂｌｅ）、ＭＨ−ＥＩＴ（ＭＨ−イベント情報テーブル、ＭＨ−Ｅｖｅｎｔ  Ｉｎｆｏｒｍａｔｉｏｎ  Ｔａｂｌｅ）、ＭＨ−ＢＩＴ（ＭＨ−ブロードキャスタ情報テーブル、ＭＨ−Ｂｒｏａｄｃａｓｔｅｒ  Ｉｎｆｏｒｍａｔｉｏｎ  Ｔａｂｌｅ）、ＭＨ−ＳＤＴ（ＭＨ−サービス記述テーブル、ＭＨ−Ｓｅｒｖｉｃｅ  Ｄｅｓｃｒｉｐｔｉｏｎ  Ｔａｂｌｅ）などの各種テーブルを含む。
【００３２】
ＭＨ−ＥＩＴは、番組の名称、放送日時、放送内容の説明など、番組に関する情報を伝送するテーブルである。
ＭＨ−ＢＩＴは、ネットワーク上に存在するブロードキャスタの情報を提示するために用いられるテーブルである。
【００３３】
＜ＭＰＴのデータ構造＞
次に、ＭＰＴについて説明する。
図４は、本実施形態に係る放送システムに用いるＭＰＴのデータ構造を示す概略図である。図４に示すように、ＭＰＴ（ＭＭＴ＿Ｐａｃｋａｇｅ＿Ｔａｂｌｅ（））は、ＭＰＴ記述子領域（ＭＰＴ＿ｄｅｓｃｒｉｐｔｏｒｓ＿ｂｙｔｅ）を含む。ＭＰＴ記述子領域（ＭＰＴ＿ｄｅｓｃｒｉｐｔｏｒｓ＿ｂｙｔｅ）は、ＭＰＴの記述子が記述される領域である。番組がマルチビュー番組である場合、ＭＰＴの記述子領域には、ＭＨ−コンポーネントグループ記述子（ＭＨ−Ｃｏｍｐｏｎｅｎｔ＿Ｇｒｏｕｐ＿Ｄｅｓｃｒｉｐｔｏｒ（））が含まれる。これに対して、番組がマルチビュー番組ではない場合、ＭＰＴの記述子領域には、ＭＨ−コンポーネントグループ記述子が含まれない。
また、ＭＰＴは、アセット毎にアセットタイプ（ａｓｓｅｔ＿ｔｙｐｅ）を含む。アセットタイプには、アセットの種類を示す符号が記述される。アセットタイプには、例えば、ＨＥＶＣで符号化された映像データを示すｈｃｖ１と、ＭＰＥＧ−４オーディオで符号化された音声データを示すｍｐ４ａとが記述される。
【００３４】
＜映像コンポーネント記述子のデータ構造の説明＞
次に、映像コンポーネント記述子（Ｖｉｄｅｏ＿Ｃｏｍｐｏｎｅｎｔ＿Ｄｅｓｃｒｉｐｔｏｒ（））の例について説明する。
図５は、本実施形態に係る映像コンポーネント記述子の例を示す図である。図５に示すように、映像コンポーネント記述子は、記述子タグ（ｄｅｓｃｒｉｐｔｏｒ＿ｔａｇ）、記述子長（ｄｅｓｃｒｉｐｔｏｒ＿ｌｅｎｇｔｈ）、映像信号解像度（ｖｉｄｅｏ＿ｒｅｓｏｌｕｔｉｏｎ）、映像信号アスペクト比（ｖｉｄｅｏ＿ａｓｐｅｃｔ＿ｒａｔｉｏ）、映像スキャンフラグ（ｖｉｄｅｏ＿ｓｃａｎ＿ｆｌａｇ）、映像信号フレームレート（ｖｉｄｅｏ＿ｆｒａｍｅ＿ｒａｔｅ）、コンポーネントタグ（ｃｏｍｐｏｎｅｎｔ＿ｔａｇ）、言語コード（ＩＳＯ＿６３９＿ｌａｎｇｕａｇｅ＿ｃｏｄｅ）を含む。
【００３５】
図５に示すように、記述子タグには、各記述子を識別するための情報が記述される。記述子長には、このフィールドより後に続くデータバイト数が記述される。映像信号解像度（ｖｉｄｅｏ＿ｒｅｓｏｌｕｔｉｏｎ）は、映像信号の垂直方向の解像度が記述され、図６に従って符号化される。
図６は、本実施形態に係る映像信号解像度に記述される情報の例を示す図である。図６に示すように、映像信号解像度の値が５の場合が、２Ｋ放送の空間解像度（１０８０（１１２５））を意味し、映像信号解像度の値が６の場合が、４Ｋ放送の空間解像度（２１６０）を意味し、映像信号解像度の値が７の場合が、８Ｋ放送の空間解像度（４３２０）を意味する。
【００３６】
図５に戻って、映像信号アスペクト比（ｖｉｄｅｏ＿ａｓｐｅｃｔ＿ｒａｔｉｏ）には、映像信号のアスペクト比が記述される。
映像スキャンフラグ（ｖｉｄｅｏ＿ｓｃａｎ＿ｆｌａｇ）には、映像信号がインターレース信号であるか、プログレッシブ信号であるかを示すフラグが記述される。映像信号フレームレートには、映像信号のフレームレートが記述される。コンポーネントタグ（ｃｏｍｐｏｎｅｔ＿ｔａｇ）には、コンポーネントストリームを識別するためのラベルが記述される。
言語コード（ＩＳＯ＿６３９＿ｌａｎｇｕａｇｅ＿ｃｏｄｅ）には、コンポーネント（音声、あるいはデータ）の言語及びこの記述子に含まれる文字記述の言語を識別するための情報が記述される。
【００３７】
＜ＭＨ−音声コンポーネント記述子のデータ構造の説明＞
次に、ＭＨ−音声コンポーネント記述子（ＭＨ−Ａｕｄｉｏ＿Ｃｏｍｐｏｎｅｎｔ＿Ｄｅｓｃｒｉｐｔｏｒ（））の例について説明する。
図７は、本実施形態に係るＭＨ−音声コンポーネント記述子の例を示す図である。図７に示すように、ＭＨ−音声コンポーネント記述子は、記述子タグ（ｄｅｓｃｒｉｐｔｏｒ＿ｔａｇ）、記述子長（ｄｅｓｃｒｉｐｔｏｒ＿ｌｅｎｇｔｈ）、コンポーネント内容（ｓｔｒｅａｍ＿ｃｏｎｔｅｎｔ）、コンポーネント種別（ｃｏｍｐｏｎｅｎｔ＿ｔｙｐｅ）、コンポーネントタグ（ｃｏｍｐｏｎｅｎｔ＿ｔａｇ）、ストリーム形式種別（ｓｔｒｅａｍ＿ｔｙｐｅ）、サイマルキャストグループ識別（ｓｉｍｕｌｃａｓｔ＿ｇｒｏｕｐ＿ｔａｇ）、ＥＳ多言語フラグ（ＥＳ＿ｍｕｌｔｉ＿ｌｉｎｇｕａｌ＿ｆｌａｇ）、主コンポーネントフラグ（ｍａｉｎ＿ｃｏｍｐｏｎｅｎｔ＿ｆｌａｇ）、音質表示（ｑｕａｌｉｔｙ＿ｉｎｄｉｃａｔｏｒ）、サンプリング周波数（ｓａｍｐｌｉｎｇ＿ｒａｔｅ）、言語コード（ＩＳＯ＿６３９＿ｌａｎｇｕａｇｅ＿ｃｏｄｅ）等を含んでいる。
【００３８】
図７において、コンポーネント内容は、ストリームの種別を表し、コンポーネント種別（ｃｏｍｐｏｎｅｎｔ＿ｔｙｐｅ）は、音声コンポーネントの種別が図８に従って符号化される。
図８は、本実施形態に係るコンポーネント種別に記述される情報の例を示す図である。図８に示すように、コンポーネント種別が設定されている値に応じて符号化されている。本実施形態では、受信した放送が８Ｋ放送の場合、コンポーネント種別が“０ｘ４０”の“視覚障害者用音声解説”を抽出して出力する。
【００３９】
図７に戻って、コンポーネントタグは、コンポーネントストリームを識別するためのラベルである。
ストリーム形式種別には、音声ストリームの形式をＩＳＯ／ＩＥＣ  １３８１８−１に規定されるｓｔｒｅａｍ＿ｔｙｐｅで示す情報が記述される。
サイマルキャストグループ識別は、サイマルキャスト（同一内容を異なる符号化方式で伝送）を行なっているコンポーネントに対して同じ番号を与えられる。また、サイマルキャストグループ識別は、サイマルキャストを行なっていないコンポーネントに対しては０ｘＦＦに設定される。
ＥＳ多言語フラグは、１／０＋１／０モードにおいて、ＥＳ内で２言語（ＥＳ多言語モード）多重が行われている場合に‘１’に設定される。
主コンポーネントフラグには、音声コンポーネントが主音声であるとき‘１’が記述され、１／０＋１／０モードの場合、第１音声コンポーネントが主音声であるとき‘１’が記述される。
音質表示には、音質モードを表す情報が記述される。
サンプリング周波数には、サンプリング周波数を示す情報が記述される。
言語コードには、音声コンポーネントの言語を示す情報が記述される。
【００４０】
＜受信装置１０の構成の説明＞
次に、本実施形態に係る受信装置１０の構成について説明する。
図９は、本実施形態に係る受信装置１０の構成を示すブロック図である。図９に示すように、受信装置１０は、受信部１０１、復調部１０３、分離部１０４、制御部１０５、記憶部１０６、音声復号部１０７、音声切替部１０８、音声再生部１０９、映像復号部１１０、映像合成部１１１、表示部１１２、及び操作部１１３を備える。
【００４１】
受信部１０１は、送信装置２０が送信した放送波を、放送衛星４１を介して受信する。受信部１０１は、操作部１１３が出力した操作結果に基づいて、制御部１０５が出力した放送チャンネル信号で指定される放送チャンネルに応じた放送チャンネル帯域を特定する。受信部１０１は、放送波として受信した放送チャンネル帯域の受信信号をベースバンド信号である多重化データに変換する。受信部１０１は、変換した多重化データを復調部１０３に出力する。
【００４２】
復調部１０３は、受信部１０１が出力した多重化データを送信装置２０の変調方式に応じた復調方式によって復調し、復調した多重化データを分離部１０４に出力する。なお、復調部１０３は、復調後または復調時に誤り訂正を行う。
【００４３】
分離部１０４は、復調部１０３が出力した復調後の多重化データから番組データ及び構成情報に分離する。分離部１０４は、構成情報を制御部１０５に出力する。また、分離部１０４は、番組データから音声データと映像データとＭＭＴ−ＳＩとを抽出する。分離部１０４は、抽出した音声データを音声復号部１０７に出力し、映像データを映像復号部１１０に出力する。また、分離部１０４は、抽出したＭＭＴ−ＳＩを制御部１０５に出力する。
【００４４】
音声復号部１０７には、分離部１０４から音声データが入力される。音声データには、主音声と副音声とが含まれている。また、副音声には、視覚障害者用音声解説が含まれる。また、入力された音声データは、所定の音声符号化方式（例えば、ＭＰＥＧ−４  オーディオ）で符号化されたデータである。音声復号部１０７は、制御部１０５の比較部１０５３からのデコード指示に応じて、入力された音声データに対してデコード（復号）を行い、デコードした音声信号を音声切替部１０８に出力する。なお、音声切替部１０８に出力される音声信号には、主音声と副音声が含まれている。
【００４５】
音声切替部１０８は、音声復号部１０７が出力する音声信号のうち、比較部１０５３からの切替信号に応じた音声信号を出力する。例えば、視聴者によって出力音声が選択されていない場合かつ４Ｋ放送の場合、音声切替部１０８は、切替信号に応じて主音声に切り替えて、主音声を音声再生部１０９に出力する。また、視聴者によって出力音声が選択されていない場合かつ８Ｋ放送の場合、音声切替部１０８は、切替信号に応じて視覚障害者用音声解説に切り替えて、視覚障害者用音声解説を音声再生部１０９に出力する。
音声再生部１０９は、音声復号部１０７が出力した音声信号を再生するものであり、例えば、スピーカーを含んで構成される。
【００４６】
映像復号部１１０には、分離部１０４から映像データが入力される。入力された映像データは、所定の映像符号化方式（例えば、ＨＥＶＣ、ＭＰＥＧ−２  ビデオ）で符号化されたデータである。映像復号部１１０は、比較部１０５３からのデコード指示に応じて、符号化に用いられた符号化方式と対応する復号方式で入力された映像データに対してデコードを行い、デコードした映像データを生成する。映像復号部１１０は、復号した映像データを映像合成部１１１に出力する。
例えば、映像復号部１１０は、４Ｋ放送の場合、デコード指示に応じて映像データに対してデコードを行い、デコードした映像データを映像合成部１１１に出力する。または、映像復号部１１０は、８Ｋ放送の場合、デコード指示に応じて映像データに対してデコードを行わず、例えば黒画像のデータを映像合成部１１１に出力する。なお、デコードが行われた映像データは、各時刻における映像（フレーム画像）を形成する信号値を示すデータである。
【００４７】
映像合成部１１１は、制御部１０５の報知部１０５４がコーションメッセージを出力した場合、映像復号部１１０が出力した映像データに、入力されたコーションメッセージの画像を合成し、合成した映像データを表示部１１２に出力する。映像合成部１１１は、報知部１０５４がコーションメッセージを出力していない場合、映像復号部１１０が出力した映像データを表示部１１２に出力する。
【００４８】
表示部１１２は、映像合成部１１１が出力した映像データに基づく映像を表示する。表示部１１２は、ディスプレイ、例えば、液晶ディスプレイ、有機ＥＬ（Ｅｌｅｃｔｒｏ  Ｌｕｍｉｎｅｓｃｅｎｃｅ）ディスプレイ、等を含んで構成される。
【００４９】
制御部１０５は、表示解像度取得部１０５１、放送解像度検出部１０５２、比較部１０５３、及び報知部１０５４を備える。
表示解像度取得部１０５１は、表示部１１２によって表示可能な解像度を取得する。なお、表示部１１２によって表示可能な解像度は、予め記憶部１０６に記憶されていてもよい。記憶部１０６に表示可能な解像度が予め記憶されている場合、表示解像度取得部１０５１は、表示可能な解像度を記憶部１０６から読み出して取得する。表示解像度取得部１０５１は、取得した解像度を示す情報を、表示解像度を示す情報として比較部１０５３に出力する。
【００５０】
放送解像度検出部１０５２は、分離部１０４が出力したＭＭＴ−ＳＩから映像コンポーネント記述子を抽出する。放送解像度検出部１０５２は、抽出した映像コンポーネント記述子にパラメータ設定されている映像信号解像度を検出し、検出した映像信号解像度を、放送解像度を示す情報として比較部１０５３に出力する。
【００５１】
比較部１０５３は、表示解像度取得部１０５１が出力した表示解像度を示す情報と、放送解像度検出部１０５２が出力した放送解像度を示す情報とを取得する。比較部１０５３は、取得した情報に基づいて、放送解像度と表示解像度とを比較し、比較した比較結果に応じて、デコード指示、切替信号、報知情報生成指示を生成する。比較部１０５３は、生成したデコード指示を音声復号部１０７と映像復号部１１０とに出力する。比較部１０５３は、生成した切替信号を音声切替部１０８に出力する。比較部１０５３は、生成した報知情報生成指示を報知部１０５４に出力する。
４Ｋ放送の場合、比較部１０５３は、音声データのデコードを行うデコード指示を音声復号部１０７に出力し、映像データのデコードを行うデコード指示を映像復号部１１０に出力する。比較部１０５３は、主音声に切り替える切替信号を音声切替部１０８に出力する。比較部１０５３は、コーションメッセージを生成しない報知情報生成指示を報知部１０５４に出力する。
または、８Ｋ放送の場合、比較部１０５３は、音声データのデコードを行うデコード指示を音声復号部１０７に出力し、映像データのデコードを行なわないデコード指示を映像復号部１１０に出力する。比較部１０５３は、視覚障害者用音声解説に切り替える切替信号を音声切替部１０８に出力する。比較部１０５３は、コーションメッセージを生成する報知情報生成指示を報知部１０５４に出力する。
【００５２】
報知部１０５４は、比較部１０５３が出力した報知情報生成指示に応じて記憶部１０６に記憶されているコーションメッセージを参照してコーションメッセージを生成し、生成したコーションメッセージを示す情報を映像合成部１１１に出力する。
【００５３】
記憶部１０６は、コーションメッセージ、図６に示した映像信号解像度の値と意味とを対応付けた情報、図８に示したコンポーネント種別の値と意味とを対応付けた情報等の各種のデータを記憶する。記憶部１０６は、記憶媒体、例えば、ＨＤＤ（Ｈａｒｄ  Ｄｉｓｋ  Ｄｒｉｖｅ）、フラッシュメモリ、ＲＯＭ（Ｒｅａｄ  Ｏｎｌｙ  Ｍｅｍｏｒｙ；読み出し専用メモリ）、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、又はそれらの任意の組み合わせを含んで構成される。なお、記憶部１０６は、表示部１１２の解像度を示す情報が記憶されていてもよい。
【００５４】
操作部１１３は、例えば、操作ボタン、リモートコントローラ、携帯端末装置等の電子機器から操作信号を受信する入力インタフェース、等である。操作部１１３は、視聴者によって操作された操作結果を検出し、検出した操作結果を制御部１０５に出力する。
【００５５】
図１０は、本実施形態に係る８Ｋ放送受信時のコーションメッセージの表示の例を示す図である。図１０に示すように、８Ｋ放送受信時、受信装置１０は視覚障害者用音声解説（音声解説）を出力し、表示部１１２の画面の一部にコーションメッセージの画像ｇ１０１を表示させ、残りの表示領域には、例えば黒画像ｇ１０２を表示させる。図１０に示す例におけるコーションメッセージの画像ｇ１０１には、例えば「８Ｋ放送受信中です。音声のみを出力しています。」を含む。なお、表示されるコーションメッセージの画像ｇ１０１は一例であり、これに限られない。表示解像度と放送解像度とが異なるため表示できないことを示すメッセージや視覚障害者用音声解説を再生していることを示すメッセージを含んでいてもよい。
【００５６】
＜音声処理、報知処理の説明＞
次に、本実施形態に係る音声処理と報知処理とについて説明する。
図１１は、本実施形態に係る表示処理と報知処理の手順を示すフローチャートである。なお、図１１に示す例では、視聴者によって放送衛星４１を介して放送番組のチャンネルが選択された後の処理を説明する。
【００５７】
（ステップＳ１０１）受信部１０１は、送信装置２０が送信した放送波のうち、制御部１０５が出力した放送チャンネル信号で指定される放送チャンネルの放送波を受信する。
（ステップＳ１０２）表示解像度取得部１０５１は、表示部１１２によって表示可能な解像度を取得する。
【００５８】
（ステップＳ１０３）放送解像度検出部１０５２は、分離部１０４が出力したＭＭＴ−ＳＩから映像コンポーネント記述子を抽出する。続けて、放送解像度検出部１０５２は、抽出した映像コンポーネント記述子にパラメータ設定されている映像信号解像度の値を抽出する。続けて、放送解像度検出部１０５２は、抽出した映像信号解像度の値と対応付けられて記憶部１０６に記憶されている意味を示す情報に基づいて、放送解像度を検出する。
【００５９】
（ステップＳ１０４）比較部１０５３は、表示解像度と放送解像度とを用いて、受信している映像の解像度が表示部１１２で表示可能であるか否かを判別する。比較部１０５３は、表示可能な映像であると判別した場合（ステップＳ１０４；ＹＥＳ）、ステップＳ１０８に処理を進め、表示できない映像であると判別した場合（ステップＳ１０４；ＮＯ）、ステップＳ１０５に処理を進める。なお、表示可能な映像とは、表示解像度が４Ｋであり、放送解像度が４Ｋ以下の映像である。また、表示できない映像とは、表示解像度が４Ｋであり、放送解像度が４Ｋより解像度の高い映像であり、例えば８Ｋの映像である。
【００６０】
（ステップＳ１０５）比較部１０５３は、音声データのデコードを行うデコード指示を音声復号部１０７に出力し、映像データのデコードを行なわないデコード指示を映像復号部１１０に出力する。続けて、比較部１０５３は、視覚障害者用音声解説に切り替える切替信号を音声切替部１０８に出力する。続けて、比較部１０５３は、コーションメッセージを生成する報知情報生成指示を報知部１０５４に出力する。続けて、音声復号部１０７は、比較部１０５３からのデコード指示に応じて、入力された音声データに対してデコードを行う。
【００６１】
（ステップＳ１０６）音声切替部１０８は、音声復号部１０７が出力する音声信号のうち、比較部１０５３からの切替信号に応じて視覚障害者用音声解説を音声再生部１０９に出力する。続けて、音声再生部１０９は、音声復号部１０７が出力した音声信号を再生する。
【００６２】
（ステップＳ１０７）映像合成部１１１は、報知部１０５４が出力した報知情報生成指示に応じて、映像復号部１１０が出力した映像データに、入力されたコーションメッセージの画像を合成し、合成した映像データを、例えば図１０のように表示部１１２に表示させる。なお、この場合の映像データは、例えば黒画像のデータである。映像合成部１１１は、処理を終了する。
【００６３】
（ステップＳ１０８）比較部１０５３は、音声データのデコードを行うデコード指示を音声復号部１０７に出力し、映像データのデコードを行うデコード指示を映像復号部１１０に出力する。続けて、比較部１０５３は、主音声に切り替える切替信号を音声切替部１０８に出力する。続けて、比較部１０５３は、コーションメッセージを生成しない報知情報生成指示を報知部１０５４に出力する。続けて、音声復号部１０７は、比較部１０５３からのデコード指示に応じて、入力された音声データに対してデコードを行う。続けて、映像復号部１１０は、比較部１０５３からのデコード指示に応じて、入力された映像データに対してデコードを行う。
【００６４】
（ステップＳ１０９）映像合成部１１１は、報知部１０５４がコーションメッセージを出力していないため、映像復号部１１０が出力した映像データを表示部１１２に表示させる。映像合成部１１１は、処理を終了する。
【００６５】
以上のように、受信している映像データの解像度が表示部１１２で表示できない場合、受信装置１０は、映像データのデコードを行わずに、音声データのデコードのみを行う。そして、受信装置１０は、視覚障害者用音声解説を出力し、表示部１１２上には、放送を受信しているが表示できないため音声のみ出力していることを示す情報を報知する。仮に、受信装置１０が受信、表示できない放送を受信しているとき、表示部１１２上に何も表示されていないと、視聴者（利用者ともいう）は、受信装置１０が故障している誤解される場合がある。本実施形態によれば、視覚障害者用音声解説が出力され、かつ表示部１１２上に放送を受信しているが表示できないため音声のみ出力していることを示す情報が報知されるため、視聴者は、受信している放送が受信装置１０で表示できないことを知ることができ、受信装置１０の故障ではないことを知ることができる。また、本実施形態によれば、表示解像度と放送解像度とが一致していない場合、視覚障害者用音声解説に切り替えて出力するので、視聴者は表示部１１２に映像が表示されていなくても、放送されている内容を視覚障害者用音声解説によって、ある程度把握できる効果を得ることができる。
【００６６】
なお、上述した例では、受信している映像データの解像度が表示部１１２で表示できない場合、比較部１０５３は、副音声のうち視覚障害者用音声解説を選択する例を説明したが、これに限られない。映像データの解像度が表示部１１２で表示できない場合かつ視覚障害者用音声解説が含まれていない場合、比較部１０５３が選択する音声は、主音声以外の副音声であってもよい。
【００６７】
また、本実施形態では、映像データの解像度が表示部１１２で表示できない場合、副音声のうち視覚障害者用音声解説が設定されている例を説明したが、これに限られない。例えば、操作部１１３を視聴者が操作して、表示解像度と放送解像度とが一致していない場合に出力する音声を選択して設定しておくようにしてもよい。
【００６８】
以上のように、本実施形態の受信装置１０は、番組データと、番組に関する情報を含む構成データと、を含む放送波を受信する受信部１０１と、受信部によって受信した構成データに含まれる映像の解像度（放送解像度）を示す情報に基づいて、番組データに含まれる映像データの解像度が表示部で表示可能な解像度（表示解像度）であるか否かを判別する比較部１０５３と、比較部によって映像データの解像度が表示部で表示できないと判別された場合に、主音声とは異なる副音声（例えば、視覚障害者用音声解説）があるか否かを判別し、副音声がある場合に、放送波から音声のみをデコードし、デコードした音声のうち副音声を出力する音声切替部１０８と、比較部によって映像データの解像度が表示部で表示できないと判別された場合に、映像データを受信し副音声を出力していることを示す情報を報知する報知部１０５４と、を備える。
【００６９】
この構成によって、本実施形態によれば、受信している映像データの解像度が表示部１１２で表示できない場合、視覚障害者用音声解説が出力され、かつ表示部１１２上に放送を受信しているが表示できないため音声のみ出力していることを示す情報を報知する。すなわち、本実施形態によれば、受信装置１０が対応している解像度より高い解像度の放送を受信した場合であっても、視聴者に受信装置が受信している状況を報知することができる。この結果、視聴者は、受信している放送が受信装置１０で表示できないことを知ることができ、かつ副音声が出力されているので受信装置１０の故障ではないことを知ることができる。また、視聴者は、副音声によって、放送されている番組の内容をある程度知ることができる。
【００７０】
また、本実施形態の受信装置１０において、副音声は、解説放送の音声または視覚障害者用音声解説である。
この構成によって、本実施形態によれば、受信している映像データの解像度が表示部１１２で表示できない場合、視覚障害者用音声解説に切り替えて出力するので、視聴者は表示部１１２に映像が表示されていなくても、放送されている内容を視覚障害者用音声解説によって、ある程度把握できる。
【００７１】
また、本実施形態の受信装置１０において、副音声は、利用者（視聴者）が操作部１１３を操作して選択した音声である。
この構成によって、本実施形態によれば、受信している映像データの解像度が表示部１１２で表示できない場合、視聴者によって選択した音声が出力されるので、視聴者は表示部１１２に映像が表示されていなくても、放送されている内容を視覚障害者用音声解説によって、ある程度把握できる。
【００７２】
また、本実施形態の受信装置１０において、表示部１１２で表示可能な解像度（表示解像度）は、横の解像度が４０９６または３８４０ピクセルであり、音声切替部１０８は、映像データの横の解像度が７６８０であり、副音声がある場合に副音声に切り替え、報知部１０５４は、映像データの横の解像度が７６８０であり、副音声がある場合に映像データを受信していることを示す情報を報知する。
この構成によって、本実施形態によれば、受信装置１０の表示部１１２が表示可能な解像度が４Ｋ放送に対応したものであり、８Ｋ放送を受信した場合であっても、副音声が再生され、再生されている状態が報知することで、視聴者に受信装置が受信している状況を報知することができる。
【００７３】
上述した実施形態では、受信装置１０がテレビジョン受像機（テレビ、ＴＶ）の例を説明したが、これに限られない。受信装置１０は、主番組データと副番組データを受信して再生できる装置、例えばＨＤＤ（ハードディスク）レコーダー、光ディスクレコーダー等であってもよい。また、受信装置１０は、表示部１１２を含んでいなくてもよい。
【００７４】
上述した実施形態では、受信装置１０が４Ｋ放送を表示可能なテレビジョン受像機（テレビ、ＴＶ）の例を説明したが、これに限られない。例えば、受信装置１０が２Ｋ放送を表示可能なテレビジョン受像機の場合、放送波の映像データの解像度が２Ｋより高い場合に、表示部１１２に映像を表示させずコーションメッセージを報知し、副音声を出力するようにしてもよい。また、受信装置１０が８Ｋ放送を表示可能なテレビジョン受像機の場合、放送波の映像データの解像度が８Ｋより高い場合に、表示部１１２に映像を表示させずコーションメッセージを報知し、副音声を出力するようにしてもよい。
【００７５】
なお、上述した実施形態では、各種のデータを伝送するための伝送方式として、ＭＰＥＧ−Ｈで規定されたＭＭＴ（ＭＰＥＧ  Ｍｅｄｉａ  Ｔｒａｎｓｐｏｒｔ）によるメディアトランスポート方式が用いる場合を例にしたが、その他の伝送方式、例えば、ＭＰＥＧ−２  Ｓｙｓｔｅｍｓで規定された方式が用いられてもよい。また、伝送に係るデータ形式、暗号化方式、符号化方式も、その伝送方式で規定された形式または方式が用いられてもよい。
【００７６】
また、上述した実施形態における受信装置１０の一部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、認識データ伝送装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバーやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【符号の説明】
【００７７】
１…デジタル放送システム、１０…受信装置、２０…送信装置、４１…放送衛星、１０１…受信部、１０３…復調部、１０４…分離部、１０５…制御部、１０６…記憶部、１０７…音声復号部、１０８…音声切替部、１０９…音声再生部、１１０…映像復号部、１１１…映像合成部、１１２…表示部、１１３…操作部、２０１…番組データ生成部、２０２…構成情報生成部、２０３…多重化部、２０４…暗号化部、２０５…送信部
【図１】
0006355263.tif 000002
【図２】
0006355263.tif 000003
【図３】
0006355263.tif 000004
【図４】
0006355263.tif 000005
【図５】
0006355263.tif 000006
【図６】
0006355263.tif 000007
【図７】
0006355263.tif 000008
【図８】
0006355263.tif 000009
【図９】
0006355263.tif 000010
【図１０】
0006355263.tif 000011
【図１１】
0006355263.tif 000012